(57)【特許請求の範囲】
【請求項１】
長尺部材に記録された複数の原画画像を記録材に記録するプリンタを備えた画像処理装置であって、
それぞれ原画画像を読取可能な複数の画像読取手段と、
前記複数の画像読取手段に対応して設けられ、各画像読取手段で読取られた画像データを一時的に記憶する記憶手段と、
前記画像読取手段による画像読取順に拘らず、所定の順序に従って前記記憶手段から画像データを読み出す画像データ選択読出し手段と、
前記画像データ選択読出し手段で読み出された画像データを前記プリンタへ供給する画像データ供給制御手段と、
前記プリンタでプリントされた記録材を、予め定められた順序に従い仕分ける仕分け手段と、
を有する画像処理装置。
【請求項２】
前記画像データ選択読出し手段は、長尺部材に記録された原画像の件情報に基づいて、画像データを選択して読出し、前記仕分け手段によって該件毎に仕分けられることを特徴とする請求項１記載の画像処理装置。
【請求項３】
前記画像データ選択読み出し手段は、少なくとも前記複数の画像読取手段の列情報に基づいて、画像データを選択して読出し、前記仕分け手段によって該少なくとも同列毎の画像読取手段毎に仕分けられることを特徴とする請求項１記載の画像処理装置。
【請求項４】
前記画像読取手段が、１列に搬送される長尺部材の搬送方向に沿って複数個配設され、読取りが終了した順に、前記画像データ選択読出し手段によって、前記画像データが前記記憶手段から読出されることを特徴とする請求項１記載の画像処理装置。
【請求項５】
前記プリントされた記録材が、前記仕分け手段によって前記長尺部材上の記録順に仕分けられることを特徴とする請求項１乃至請求項４のいずれか１項記載の画像処理装置。
【請求項６】
前記画像読取手段が、１列で搬送される長尺部材の搬送方向に沿って複数個配設され、複数の原画画像をほぼ同時期に読取り、前記長尺部材上の記録順に、前記画像データ選択読出し手段によって、前記画像データが前記記憶手段から読出されることを特徴とする 請求項１記載の画像処理装置。
【請求項７】
前記画像読取手段が、複数列搬送される長尺部材の各列にそれぞれ設けられ、読取りが終了した順に、前記画像データ選択読出し手段によって、前記画像データが前記記憶手段から読出されることを特徴とする請求項１記載の画像処理装置。
【請求項８】
前記プリントされた記録材が、前記仕分け手段によって前記複数列毎に仕分けられることを特徴とする請求項７記載の画像処理装置。
【請求項９】
前記長尺部材の列毎にそれぞれ複数の画像読取手段が設けられると共に、前記長尺部材の列数に応じてプリンタが設けられ、各列それぞれ独立してプリントされることを特徴とする請求項７記載の画像処理装置。
【発明の詳細な説明】
【０００１】
【発明の属する技術分野】
本発明は、長尺部材に連続して記録された原画画像を記録紙に記録するプリンタを備えた画像処理装置に関する。
【０００２】
【従来の技術】
従来、例えば、１列で搬送されてくる画像が記録されたネガフィルムの現像機の最後段にラインセンサ等の画像読取手段を配設し、ネガフィルムに記録された画像をデジタル的に読取り、この読み取った画像データに基づいて、必要な画像処理や補正を行って、該画像データをプリンタを供給し、プリンタでプリントするデジタル画像プリンタが知られている。なお、複数列同時に現像処理される現像機も存在し、このような場合、通常は、画像読取手段が１個であるため、一方の画像を読み取っている間は、他の一方は、待機されることになる。
【０００３】
このような、デジタル画像プリンタにおいて、画像読取手段による読取速度が、処理全体に大きく寄与することになる。また、この読取速度は、ネガフィルムを透過して、画像読取手段の読取位置に結像させるための光源の光量に影響される。
【０００４】
従って、光量を小さくした場合には、読取時間を遅くする必要があり、大量処理には適さない。一方、光量を大きくすることにより、読取時間の短縮を図ることができ、大量処理に適している。
【０００５】
ところが、光量を大きくすると、装置が大型になるばかりでなく、それに見合った電気容量に増加しなけらればならない。また、部品点数の増加によりコストアップにもつながる。
【０００６】
また、基本的に画像読取手段は、長尺状に搬送されてくるネガフィルム（１本の場合もあるし、複数本連結されている場合もある）に対して１個設けられ、ネガフィルム上の画像の記録順に読取り、順次その画像データをプリンタへ供給している。
【０００７】
ここで、画像読取手段を増やして、ほぼ同時期に複数の画像読取手段で画像を読み取るようにすれば、実質的に読取時間を短縮することができる。このとき、ネガフィルムが複数列で搬送されてくる場合には、各列１個の配置も含むものとする。
【０００８】
【発明が解決しようとする課題】
しかしながら、上記の如く、複数の画像読取手段で画像を読み取った場合、その読取順序がまちまちとなり、プリンタでプリントされる順番、あるいは、プリントアウトされる順番が、ネガフィルム上に記録された順番と異なることになる。
【０００９】
これでは、複数の顧客から依頼された件が、ばらばらの状態となり、後の仕分け作業が煩雑となり、却って、作業効率を低下させることになる。
【００１０】
本発明は上記事実を考慮し、複数の画像データ読取手段で読み取られた画像データを所望の順序に従って、仕分けることができ、この結果、作業効率を向上させることができる画像処理装置を得ることが目的である。
【００１１】
【課題を解決するための手段】
請求項１に記載の発明は、長尺部材に記録された複数の原画画像を記録材に記録するプリンタを備えた画像処理装置であって、それぞれ原画画像を読取可能な複数の画像読取手段と、前記複数の画像読取手段に対応して設けられ、各画像読取手段で読取られた画像データを一時的に記憶する記憶手段と、前記画像読取手段による画像読取順に拘らず、所定の順序に従って前記記憶手段から画像データを読み出す画像データ選択読出し手段と、前記画像データ選択読出し手段で読み出された画像データを前記プリンタへ供給する画像データ供給制御手段と、前記プリンタでプリントされた記録材を、予め定められた順序に従い仕分ける仕分け手段と、を有している。
【００１２】
請求項１に記載の発明によれば、画像読取手段は、複数の原画画像に対してほぼ同時期に読み取ることができるように複数個配設されており、それぞれの画像読取手段で読み取られた画像は記憶手段に記憶される。
【００１３】
ここで、画像データ選択読出し手段では、画像読取手段による画像読取順に拘らず、所定の順序に従って複数の記憶手段から１つを選択し、選択された記憶手段から画像データを読み出すようにしている。
【００１４】
読み出された画像データは、画像データ供給制御手段によってプリンタへ供給され、記録紙にプリントされる。プリンタでプリント順に排出される記録紙は、仕分け手段によって、予め定められた所定のローテーションに従い仕分けられる。
【００１５】
これにより、例えば、長尺部材上の原画画像の記録順と同順にプリントアウトさせたい場合に、複数の画像読取手段で順番通り読み取れないことがあっても、確実に所望の順番通りに仕分けすることができる。
【００１６】
請求項２に記載の発明は、請求項１に記載の発明において、前記画像データ選択読出し手段は、長尺部材に記録された原画像の件情報に基づいて、画像データを選択して読出し、前記仕分け手段によって該件毎に仕分けられることを特徴としている。
【００１７】
請求項２に記載の発明によれば、画像の件情報とは、長尺部材に記録されている長尺部材ＩＤ情報及び顧客１人を単位とする件情報である。従って、顧客情報を管理した場合は複数の長尺部材（例えば、ネガフィルム）を同一の顧客が依頼したものは同一件と扱うこともできる。このような情報に基づいて仕分けることにより、後処理（返却処理等）の作業効率を向上することができる。
【００１８】
請求項３に記載の発明は、請求項１に記載の発明において、前記画像データ選択読み出し手段は、少なくとも前記複数の画像読取手段の列情報に基づいて、画像データを選択して読出し、前記仕分け手段によって該少なくとも同列毎の画像読取手段毎に仕分けられることを特徴としている。
【００１９】
請求項３に記載の発明によれば、長尺部材が並行処理されている場合に、該並行処理されている長尺部材の原画画像が交互に（所定の規則に従って）処理されればよいが、同列の原画画像の読取が連続することがあると、プリンタから排出される記録紙の順番がばらばらになる。そこで、それぞれに設けられた画像読取手段の列情報に基づいて、画像データを選択して読み出す。これにより、プリントされる順番が、各列交互に処理されることになる仕分け手段では、同列毎に仕分けることができる。
【００２０】
請求項４に記載の発明は、請求項１に記載の発明において、前記画像読取手段が、１列に搬送される長尺部材の搬送方向に沿って複数個配設され、読取りが終了した順に、前記画像データ選択読出し手段によって、前記画像データが前記記憶手段から読出されることを特徴としている。
【００２１】
請求項４に記載の発明によれば、長尺部材が１列で処理される場合にその搬送方向に沿って画像読取手段を複数個配設する。ここで、画像読取時間は、画像の状態（色相や濃度等）によって異なるため、予め画像データ選択読出し手段による読出し順序を例えば交互に決めておくと、記憶手段の記録容量を複数の画像データを格納できるようにしておかなければならない。そこで、読取りが終了した画像データから順に画像データ選択読出し手段によって画像データを読み出すようにすれば、記憶手段の記憶容量は必要最小限の容量で済む。
【００２２】
請求項５に記載の発明は、請求項１乃至請求項４のいずれか１項記載の発明において、前記プリントされた記録材が、前記仕分け手段によって前記長尺部材上の記録順に仕分けられることを特徴としている。
【００２３】
請求項５に記載の発明によれば、読取りが終了した画像データから順に画像データ選択読出し手段によって画像データを読み出し、この順番でプリントする。これをそのまま排出すると、記録紙は、長尺部材に記録された順番とならない。そこで、仕分け手段によって、長尺部材上の記録順になるように仕分けることにより、後工程の作業性を向上することができる。
【００２４】
請求項６に記載の発明は、請求項１に記載の発明において、前記画像読取手段が、１列で搬送される長尺部材の搬送方向に沿って複数個配設され、複数の原画画像をほぼ同時期に読取り、前記長尺部材上の記録順に、前記画像データ選択読出し手段によって、前記画像データが前記記憶手段から読出されることを特徴としている。
【００２５】
請求項６に記載の発明によれば、画像データ選択読出し手段は、画像読取手段での読取順に拘らず、長尺部材の記録順に画像データを読み出す。これにより、仕分け手段の仕分け時には、プリント順に準じて排出すればよい。
【００２６】
請求項７に記載の発明は、請求項１に記載の発明において、前記画像読取手段が、複数列搬送される長尺部材の各列にそれぞれ設けられ、読取りが終了した順に、前記画像データ選択読出し手段によって、前記画像データが前記記憶手段から読出されることを特徴としている。
【００２７】
請求項７に記載の発明によれば、長尺部材が並行処理される場合に各列に画像読取手段を複数個配設する。ここで、画像読取時間は、画像の状態（色相や濃度等）によって異なるため、予め画像データ選択読出し手段による読出し順序を例えば各列交互に決めておくと、記憶手段の記録容量を複数の画像データを格納できるようにしておかなければならない。そこで、読取りが終了した画像データから順に画像データ選択読出し手段によって画像データを読み出すようにすれば、記憶手段の記憶容量は必要最小限の容量で済む。
【００２８】
請求項８に記載の発明は、請求項７に記載の発明において、前記プリントされた記録材が、前記仕分け手段によって前記複数列毎に仕分けられることを特徴としている。
【００２９】
請求項８に記載の発明によれば、長尺部材が並行処理される場合、仕分け手段によって各列毎に仕分けるようにすれば、後処理工程の作業性を向上することができる。
【００３０】
請求項９に記載の発明は、請求項７に記載の発明において、前記長尺部材の列毎にそれぞれ複数の画像読取手段が設けられると共に、前記長尺部材の列数に応じてプリンタが設けられ、各列それぞれ独立してプリントされることを特徴としている。
【００３１】
請求項９に記載の発明によれば、各列毎にプリンタを設けることにより、各列毎の画像読取手段による画像読取順のみを考慮して仕分けすることにより、各列独立して長尺部材の記録順にプリントされた記録紙を排出することができる。
【００３２】
【発明の実施の形態】
（第１の実施の形態）
図１乃至図３には、本実施の形態に係る写真処理システムの概略図が示されている。
【００３３】
この写真処理システムは、図示しないカメラ等によって撮影されたネガフィルムを現像する現像装置１０（図２及び図３参照）を備えている。現像装置１０によって現像されることにより、前記ネガフィルムに記録（撮影）された画像は顕像化される。
【００３４】
図２及び図３に示される如く、現像装置１０の下流側には、読取装置１２が配設されており、現像済のネガフィルム１４が装填され、該ネガフィルム１４に記録された画像をＣＣＤセンサー上に結像させ読取るようになっている。
【００３５】
現像装置１０には、その最上流側に撮影済ネガフィルム１４を収容するカートリッジ１８（図３参照）を装填する装填部２０が設けられている。この装填部２０は、３個のカートリッジ位置決め部２０Ａが併設されている。すなわち、各カートリッジ位置決め部２０Ａにそれぞれカートリッジ１８を装填することができ、それぞれ独立して、カートリッジ１８内のネガフィルム１４を引き出し、この引き出されたネガフィルム１４を挿入口２２から現像部２４へ送り込むことができるようになっている。なお、この装填部２０は、ネガフィルム１４を比較的少量処理する場合に、カートリッジ１８を各装填部２０Ａに１本毎装填し、ネガフィルム１本毎に処理するときに適用されるようになっている（以下、少量処理用装填部２０という）。
【００３６】
この少量処理用装填部２０の近傍には、３個のリール取付軸２６がそれぞれステー２８を介して立設配置されている。
【００３７】
このリール取付軸２６には、その一端部（基部側）にフランジ２６Ａが取付けられ、複数本のネガフィルム１４が長尺状に連結されて形成されたロールフィルム１４Ｒが装着可能となっており、このリール取付軸２６に取付けられたロールフィルム１４Ｒの最外端から順に現像部２４へ送り込むことができるようになっている。このリール取付軸２６を適用するのは、比較的大量処理を要求される場合であり、複数本のネガフィルム１４を連続して処理することができるようになっている。
【００３８】
現像部２４は、現像槽、漂白定着槽、水洗槽等の各処理槽３０が設けられており、それぞれ現像液、漂白定着液、水洗水等の処理液が貯留されている。
【００３９】
各処理槽３０内には、ネガフィルム１４に搬送力を付与すると共に、搬送方向を案内する役目を持つ処理ラック（図示省略）が配置されている。なお、本実施の形態の処理ラックは、ネガフィルム１４の幅方向両端部をガイドするガイド溝が形成されている。ネガフィルム１４がこのガイド溝に案内されて、各処理槽３０内を略Ｕ字状に搬送される。また、処理槽３０間の受渡しは、クロスオーバラック（図示諸略）によって案内されるようになっており、この結果、挿入口２２から挿入されたネガフィルム１４は、自動的に各処理槽３０を略Ｕ字状に搬送され、乾燥部３２へと至るようになっている。
【００４０】
乾燥部３２は、熱源３４によって雰囲気が所定温度に加温されたチャンバ３６を備え、このチャンバ３６内をネガフィルム１４がドラム３８に巻き掛けられながら通過することによって、乾燥処理され、排出されるようになっている。なお、必要に応じて、温風をファン等によって強制的にネガフィルム１４に当ててもよいし、ヒートローラ等を適用し、直接ネガフィルム１４をヒートローラ（前記ドラム３８内に熱源を設けることによりヒートローラとなる）に巻き付けて乾燥するようにしてもよい。さらに、これらを併用してもよい。
【００４１】
排出口から排出されたネガフィルム１４は、完全に乾燥された状態で画像が顕像化され、読取装置１２の一部を構成する次工程の画像読取部４０へと送り出されるようになっている。
【００４２】
画像読取部４０には、ネガフィルム１４の搬送路（３本）に沿って、それぞれ１個（合計３個）のＣＣＤラインセンサ４２が配設されており、ネガフィルム１４がこのＣＣＤラインセンサ４２を通過することによって、画像を読み取っていく構成となっている。読み取った画像はフレームメモリ４３に一旦格納されるようになっている。
【００４３】
画像が読み取られたネガフィルム１４は、少量処理か大量処理か、すなわちネガフィルム単体処理か、複数本の連続処理かによって、空カートリッジ装填部４８に収容されたカートリッジ１８に再度収容するか、リール５０に巻き取られるようになっている。
【００４４】
図１に示される如く、読み取られた画像は、フレームメモリ４３に順次記録され次いでそれぞれのＣＣＤラインセンサ４２に対応して設けられたコントローラ４４内のフレームメモリ４６に記憶されるようになっている。フレームメモリ４６は、前記ＣＣＤラインセンサ４２で読み取られた１画像分のデータが記憶可能な記憶容量とされている。
【００４５】
コントローラ４４は、ＣＰＵ５２、ＲＡＭ５４、ＲＯＭ５６、入出力ポート５８及びこれらを接続するデータバスやコントロールバス等のバス６０によって構成されたマイクロコンピュータ６２を備えている。入出力ポート５８には、画像処理装置６４が接続されている。この画像処理装置６４は、ＣＣＤラインセンサ４２で読み取られた画像を取り込んで表示するモニタ６６と、モニタ６６に表示された画像に基づいて様々な画像処理（色相の調整、濃度調整、スーパインポーズ等）を施すための操作部６８と、で構成されている。この画像処理部６４で画像処理された画像が前記フレームメモリ４６に記憶されるようになっている。
【００４６】
なお、画像処理装置６４では、予めプログラムを組んでおき、自動的に濃度調整や日付や撮影場所等の文字の記入等を行うようにしてもよい。
【００４７】
フレームメモリ４６に記録された画像は、マイクロコンピュータ６２の制御によって、選択的に読み出され、プリント部７０へ送られるようになっている。
【００４８】
プリント部７０には、液晶パネル７２が配設されており、プリント部駆動制御部７４を介して、画像信号が送られることによって、液晶パネル７２上に各色（３原色）毎の画像が表示されるようになっている。
【００４９】
液晶パネル７２の裏面側には、光源部７６が設けられている。この光源部７６は、赤色、青色、緑色の各色の発光するＬＥＤ７８と、各ＬＥＤ７８から発光する光軸を同軸とするためのダイクロイックミラー８０と、各光を平行光とするためのレンズ８２と、がケース８４内に収容され、組付けられている。このため、液晶パネル７２には、順次各色毎に平行光が照射され、該色に対応する画像が順次表示されるようになっている。液晶パネル７２を透過した光は、結像光学系８６を介して印画紙１６上に結像されるようになっている。このとき、３色の画像を重ねて露光することによって、カラー画像を得ることができる。
【００５０】
上記の如く、焼付露光された印画紙１６は、順次搬送され、カッタ部８８によって画像毎に切断され（以下、画像毎に切断された印画紙を印画紙プリント１６Ｐという）、ソータ部９０へ搬送されるようになっている。
【００５１】
ソータ部９０では、３段のビン９２Ｌが設けられ、３列同時に処理されるネガフィルムの列情報に基づいて、印画紙プリント１６Ｐはソーティングされるようになっている。
【００５２】
ここで、例えば、３列を区別するための図１の最上段のビン９２から順にＡ段、Ｂ段、Ｃ段とし、図２の手前側のネガフィルム搬送路から順Ａ列、Ｂ列、Ｃ列すると、ＣＣＤラインセンサ４２による読取順がＡ列、Ｂ列、Ｃ列の順を維持すればよいが、画像の状態（濃度等）によって、この順番が狂うことになる。すなわち、Ａ−１（数字は画像コマ番号）、Ｂ−１、Ｃ−１、Ｂ−２、Ａ−２、Ｃ−２の如く読取順が狂うと、各ビン９２へのソーティングができなくなることになる。そこで、本実施の形態では、各列の情報に基づいて、ソータ部９０のソーティング（ビン９２の選択）を制御することにより、各列毎の仕分けを行うようにしている。この列情報は、ネガフィルム１４に記録されている情報を同時に読み取ってもよいし、ＣＣＤラインセンサ４２に個別のＩＤ等を指定しおき、このＩＤを画像データと共に記憶するようにしてもよい。
【００５３】
以下に、本実施の形態の作用を説明する。
まず、現像装置１０には、既にカメラ等によって画像が記録されたネガフィルム１４が装填部２０の位置決め部２０Ａにカートリッジ毎装填されるか、複数本のネガフィルム１４が予め連結された状態で、リール取付軸２６に装填される。
【００５４】
いずれにしても、引き出されたネガフィルム１４は、挿入口２２を通過して現像部２４へと至る。現像部２４では、ネガフィルム１４が処理ラック及びクロスオーバラックに案内されて、現像、漂白定着及び水洗等の各処理槽３０内を略Ｕ字状に搬送され、乾燥部３２へ送り出される。乾燥部３２には、ドラム３８が配置されており、ネガフィルム１４はこのドラム３８に巻き掛けられながら乾燥部３２のチャンバ３６内を通過する。このとき、チャンバ３６内は、熱源３４によって所定の温度に維持されているため、処理液による処理が終了して浸水しているネガフィルム１４は、チャンバ３６内で徐々に乾燥され、完全に乾燥された状態で、画像読取部４０へと至る。
【００５５】
画像読取部４０では、ＣＣＤセンサ４２によって顕像化されたネガフィルム１４上の画像が順次読み取られる。このとき、画像の濃度によっては、ＣＣＤラインセンサによる読取解像度は、画像の種類や濃度等によって自動判別され、この読取解像度に応じて、ネガフィルム１４の搬送速度を変更するようにしている。従って、３列のネガフィルム１４の読取速度は、画像読取段階で異なるため、また、同一サイズの画像であっても、未撮影駒があるため全ての列が同時に読取が完了するとは限らない。
【００５６】
そこで、画像読取時にコントローラ４４では、読み取ってフレームメモリ４６に記憶する画像を特定する識別符号をそれぞれの画像に設定する。この識別符号は、列記号と、フィルム１４の最初の画像からの連番との組み合わせが最も単純で簡易である。例えば、Ａ列において、画像読取を開始した順にＡ−１、Ａ−２・・・とし、フレームメモリ４６に記録が完了した順を保持して記憶する。例えば、Ａ−１、Ｂ−１、Ｃ−１、Ａ−２、Ｂ−２、Ｃ−２、Ａ−３・・・のように、規則正しく、フレームメモリ４６に記憶される場合もあるし（例−１）、Ａ−１、Ｂ−１、Ａ−２、Ｃ−１、Ｃ−２、Ｂ−２、Ａ−３・・・のように、全くばらばらになる場合もある（例−２）。この識別符号はコントローラ４４内のマイクロコンピュータ６２のＲＡＭ５４に記憶しておけばよい。なお、この識別符号の記憶手順は、後述する図４のフローチャートにおいて、詳細に説明する。
【００５７】
画像読取が完了したネガフィルム１４は、そのネガフィルム１４の処理形態（単体処理、連結複数本処理）によって、カートリッジ１８への再収容か、リール５０への巻取収容かが決まる。すなわち、位置決め部２０Ａにカートリッジ１８を装填し、このカートリッジ１８から引き出されて現像処理されたネガフィルム１４は、ネガフィルム１４の現像処理及び画像読取処理中に位置決め部２０Ａ内の空になったカートリッジ１８が空カートリッジ装填部４８に移送され、再度ネガフィルム１４が収容される。
【００５８】
一方、リール取付軸２６から引き出されて現像処理されたネガフィルム１４は、リール５０に巻き取られて収容される。
【００５９】
次に、図４及び図５のフローチャートに従い、フレームメモリ４６に記憶された画像の焼付処理手順を、先に説明した画像読取手順を含め説明する。
【００６０】
まず、図４のフローチャートに従い、各列に設けられたＣＣＤラインセンサ４２による画像読取りから各列のフレームメモリ４６への記憶までを説明する。なお、この処理は、各列毎に単独で行われる。
【００６１】
ステップ２００では、画像読取位置に画像が到達したか否かが判断され、肯定判定されるとステップ２０２へ移行して、画像の種類から自動的に適正解像度を決める。この場合、指定された解像度としてもよい。解像度が決まると、これに応じたネガフィルム１４の搬送速度を設定し、ステップ２０４へ移行する。
【００６２】
ステップ２０４では、ネガフィルム１４を設定された速度で定速搬送する。この場合、現像処理時の搬送速度との速度差は、乾燥部３２と、画像読取部４０との間にネガフィルム１４をリザーブ可能なリザーバ部を設けておけばよい。また、ネガフィルム１４の搬送速度は一定とし、ＣＣＤラインセンサ４２の主走査方向の読取速度を制御したり、副走査までの時間インタバルを制御するようにしてもよい。
【００６３】
次のステップ２０６では、読取りが完了したか否かが判断され、肯定判定されると、ステップ２０７へ移行して、それぞれの列に対応するフレームメモリ４３に読み取った画像データを記憶する。また、フレームメモリ４６が空の場合次いで４６に転送される（ステップ２０８、２０９）。
【００６４】
次に、ステップ２１０では、該フレームメモリ４６に記憶された画像の画像処理が必要か否かが判断され、必要と判断されると、ステップ２１０からステップ２１２へ移行し、フレームメモリ４６に記憶された画像データを画像処理装置６４へ送出する。
【００６５】
次のステップ２１４では、画像処理装置６４に取り込まれた画像データが画像処理される。例えば、濃度調整やトリミング、並びに顧客から依頼された文字入力等がこの画像処理時に実行され、ステップ２１６へ移行する。ステップ２１６では、フレームメモリ４６へ画像処理された画像データが再度記憶され、ステップ２１８へ移行する。なお、ステップ２１０において、画像処理が不要と判断された場合には、ステップ２１２、２１４、２１６は飛び越して、ステップ２１０からステップ２１８へ移行する。このような画像処理の要非によっても各列の処理速度は異なってくる。
【００６６】
ステップ２１８では、今処理した画像の列記号−連番（識別符号）を設定し、送出する。ステップ２２０では、この識別符号を送出された順にＲＡＭ５４に記憶する。すなわち、３列が同時に上記処理を行っているため、どの列の処理から識別符号が送出されるかは、事前には把握不可能である。従って、この記憶順が、前述したように、例−１のように規則どおりではなく、例−２のように不規則となる場合がある。
【００６７】
ＲＡＭ５４には、複数の識別符号が順番に登録されることになるが、フレームメモリ４６が１画像部の記憶容量であること、以下に説明するプリント処理が同時に行われることから、ＲＡＭ５４にその都度識別符号を記憶せず、送出された順にプリント処理を行うようにしてもよい。
【００６８】
つぎのステップ２２２では、次の画像が有るか否かが判断され、肯定判定された場合には、ステップ２００へ戻り、否定判定された場合には処理は終了する。
【００６９】
次に、図５のフローチャートに従い、フレームメモリ４６に記録された画像データに基づくプリント処理（ソーティングを含む）手順を説明する。
【００７０】
まず、ステップ３００では、ＲＡＭ５４に記憶された記憶順の先頭から識別符号（列記号−連番）を読出し、列記号に対応するフレームメモリ４６から画像データを読み出す。
【００７１】
次に、ステップ３０２では、読み出された画像データに基づいて焼付処理が実行される。すなわち、プリント部制御部７４を制御して液晶パネル７２に第１色の画像を表示し、この第１の色に対応するＬＥＤ７８を点灯させる。光源部７６からは、この第１の色の平行光が液晶パネル７２に到達し、これを透過することによって、結像光学系８６によって、液晶パネル７２に表示された画像が印画紙１６上に結像され露光される。所定時間経過した後、第２の色及び第３の色を順に液晶パネル７２に表示し、第２の色及び第３の色に対応するＬＥＤ７８を点灯させ、焼付露光処理を行う。これにより、印画紙１６上にはカラー画像が潜像として露光されることになる。これを繰り返すことによって、印画紙１６上には、連続して潜像画像が記録されることになる。
【００７２】
露光された画像は、現像、漂白定着、水洗等の各処理がなされることにより顕像化され、乾燥された後、カッタ部８８へ至る。このカッタ部８８では、画像毎に切断され、印画紙プリント１６Ｐが作製される。
【００７３】
ここで、印画紙プリント１６Ｐは、現像装置１０におけるどの列のものかを認識するため、ステップ３０４において、ステップ３００で読み出した識別番号の列記号に基づいて、判断する。ステップ３０６では、ステップ３０４で判別した列情報に基づいて、ソータ部９０のビン９２を所定位置に移動し位置決めする。
【００７４】
ステップ３０８では、カッタ部８８でカットされた印画紙プリント１６Ｐを各ビン９２へ案内する。これにより、画像読取順序が不規則となっても、３段のビン９２には、現像装置１０の各列毎の印画紙プリント１６Ｐが仕分けられることになる。
【００７５】
なお、上記第１の実施の形態では、画像データの読出し時にその順序を補正するようにしたが、画像データは、画像読取順に読出してプリントし、プリント後にその識別符号を検出して、ビン９２の設定を行い、ソータ部９０を制御するようにしてもよい。
（第２の実施の形態）
上記第１の実施の形態では、各列の１個のＣＣＤラインセンサ４２を配置して、それぞれのＣＣＤラインセンサ４２の読取順を識別符号に基づいて管理して、仕分けを行うようにしたが、同一の装置構成において、図４に示される如く、各列に複数（第２の実施の形態では、２個）のＣＣＤラインセンサ４２Ａ、４２Ｂを設けてもよい。
【００７６】
第２の実施の形態に係る装置構成と、前記第１の実施の形態に係る装置構成の相違点は、図６に示される如く、ＣＣＤラインセンサ４２Ａの下流側にさらにＣＣＤラインセンサ４２Ｂを設けた点である。
【００７７】
図６に示される如く、ＣＣＤラインセンサ４２Ａ、４２Ｂの間隔寸法は、ネガフィルム１４に記録された画像長さ（搬送方向長さ）の約２．５倍程度となっている。ここで、図６（Ｅ）に示される如く、ＣＣＤラインセンサ４２Ａ、４２Ｂの間には、ダンサーローラ９８が設けられ、ネガフィルム１４の肉厚方向に移動可能となっている。このため、ＣＣＤラインセンサ４２Ａ、４２Ｂ間を通過するネガフィルム１４は、このダンサーローラ９８が搬送路よりも下降することによって、円弧状に弛みが形成されることになる。この弛みによって、ＣＣＤラインセンサ４２Ａ、４２Ｂによる読取速度の差を吸収することができる。また、この弛みを利用して、ＣＣＤラインセンサ４２Ｂが読み取る画像に対して、ＣＣＤラインセンサ４２Ｂが読み取る画像を３画像分あとに記録された画像となるように設定されている。
【００７８】
例えば、図６（Ｂ）に示される如く、先頭画像（Ａ−１）がＣＣＤラインセンサ４２Ｂの読取開始位置に位置決めされた時点で、直線搬送されている場合には、ＣＣＤラインセンサ４２ＡはＡ−３の画像上に位置する。その後、ダンサーローラ９８を駆動させることにより、図４（Ｃ）に示される如く、Ａ−４画像をＣＣＤラインセンサ４２Ａの読取開始位置に位置決めすることができる。
【００７９】
従って、上記状態から各ＣＣＤラインセンサ４２Ａ、４２Ｂがそれぞれ３画像分を読み取る毎に、ダンサーローラ９８の位置制御によって、弛み量を調整することを繰り返すことにより、２個のＣＣＤラインセンサ４２Ａ、４２Ｂを用いて効率良く画像読取を行うことができる。
【００８０】
また、図６（Ａ）に示される如く、ＣＣＤラインセンサ４２Ａ、４２Ｂには、それぞれ３画像分を記憶可能な複数のフレームメモリ４６Ａ、４６Ｂ、４６Ｃと接続され、１ローテション（３画像読取）で読み取られた画像は、それぞれのフレームメモリ４６Ａ、４６Ｂ、４６Ｃに記憶されるようになっている。
【００８１】
この第２の実施の形態において、２個のＣＣＤラインセンサ４２Ａ４２Ｂを搬送方向に沿って配置しているため、ネガフィルム１４上の画像記録順に読取りが完了することはなく、Ａ−１〜Ａ−３までの画像とＡ−４〜Ａ−６までの画像間でどの画像が先に読取り完了するか画像の状態によって変わってくる。以後、Ａ−７〜Ａ−９の画像とＡ−１０〜Ａ−１２の画像間でも同様である。
【００８２】
しかし、このような場合でも、第１の実施の形態で説明した如く、それぞれに識別符号を設けておけば、各列毎に設けられたフレームメモリ４３Ａ、４３Ｂ、４３Ｃからの読出し順序が認識でき、ネガフィルム１４上の記録順に画像をプリント処理、排出することができる。
【００８３】
なお、上記第１実施の形態と第２の実施の形態の組み合わせ、すなわち、複数列にそれぞれ複数のＣＣＤラインセンサ４２Ａ、４２Ｂ・・・を設けることも各列毎にソータ部９０のビン９２の位置を制御することにより、容易に各列毎に順序正しくソーティングすることができる。
【００８４】
また、上記第１の実施の形態及び第２の実施の形態において、複数列の現像装置１０に対して、単一列のプリント部７０としたが、プリント部７０も複数列で処理するようにしてもよい。この場合、現像装置１０での処理列と同数の列とするのが効率的であるが、緊急処理用として現像装置１０での処理列よりも１列多くしてもよい。
【００８５】
【発明の効果】
以上説明した如く本発明に係る画像処理装置は、複数の画像データ読取手段で読み取られた画像データを所望の順序に従って、仕分けることができ、この結果、作業効率を向上させることができるという優れた効果を有する。
【図面の簡単な説明】
【図１】第１の実施の形態に係る写真処理システム全体の概略図である。
【図２】第１の実施の形態に係る現像装置及び焼付装置の一部の斜視図である。
【図３】第１の実施の形態に係る現像装置及び焼付装置の一部の内部構造を示す概略図である。
【図４】画像読取手順を示す制御フローチャートである。
【図５】ソータ部をビンの位置決め制御を示すフローチャートである。
【図６】第２の実施の形態に係る画像読取装置を示す図であり、（Ａ）は、ＣＣＤラインセンサの配置状態を示す平面図、（Ｂ）は、読取開始位置までのネガフィルムの搬送状態を示す平面図、（Ｃ）は２個のＣＣＤラインセンサが共に読取可能状態となったときのネガフィルムの位置を示す平面図、（Ｄ）は画像読取途中を示すＣＣＤラインセンサ近傍の平面図、（Ｅ）はダンサーローラによるネガフィルムの弛み状態を示す側面図である。
【符号の説明】
１０    現像装置
１２    読取装置
１４    ネガフィルム
１６    印画紙
４０    画像読取部
４２    ＣＣＤラインセンサ
４３    フレームメモリ
４４    コントローラ
４６    フレームメモリ
６２    マイクロコンピュータ
７０    プリント部
７２    液晶パネル
９０    ソータ部
９２    ビン
【図１】
0003597312.tif 000002
【図２】
0003597312.tif 000003
【図３】
0003597312.tif 000004
【図４】
0003597312.tif 000005
【図５】
0003597312.tif 000006
【図６】
0003597312.tif 000007